(57)【特許請求の範囲】
【請求項１】
容器本体の口部に取付けられる液体注出具がノズルヘッドを有し、このノズルヘッドのノズルから内容液を注出可能にするとともに、
液体注出具の周囲に着脱自在に装着されてノズルヘッドを被覆可能にするオーバーキャップを有してなる液体注出容器であって、
オーバーキャップが、一端開口の有天筒状をなす外側筒部と、外側筒部の天面部に結合されて該外側筒部の筒内に延在され、ノズルヘッドに当接することなく該ノズルヘッドを被覆可能にする筒状の内側筒部とを有して構成され、
外側筒部は容器本体又は液体注出具に設けた外側装着部にしまりばめで装着され、内側筒部は液体注出具に設けた内側装着部にすきまばめで装着される液体注出容器。
【請求項２】
前記内側筒部は、前記内側装着部に装着された内周面が該内側装着部との間に形成する隙間を０mmを超え、０．２mm以下とする請求項１に記載の液体注出容器。
【請求項３】
前記液体注出具がポンプディスペンサーである請求項１又は２に記載の液体注出容器。
【請求項４】
前記液体注出具は前記容器本体の口部に設けられるキャップを備え、前記ノズルヘッドは前記キャップにおける円環状ガイド部の内周部に沿って上下動可能に遊挿されており、
前記内側筒部は、前記キャップの円環状ガイド部に設けられた前記内側装着部にすきまばめで装着される請求項１〜３のいずれかに記載の液体注出容器。
【請求項５】
前記内側筒部は、前記内側装着部に装着される内周面の最下部を下方に向けて拡開するテーパ面としている請求項１〜４のいずれかに記載の液体注出容器。
【発明の詳細な説明】
【技術分野】
【０００１】
本発明はポンプディスペンサー等の液体注出具を備えた液体注出容器に関する。
【背景技術】
【０００２】
従来、ポンプディスペンサーを備えた液体注出容器では、ノズルヘッドの押下げ操作によってノズルから内容液を注出させた後、ノズルに残存する液の乾燥固化を防止するために、特許文献１に記載の如くのオーバーキャップを用いるものが提案されている。特許文献１に記載のオーバーキャップは、キャップ本体の内部に内キャップを嵌合させた二重構造とされ、ポンプディスペンサーへの装着時に、内キャップの側壁部分に形成してある漏洩防止部をノズルに係合させ、該漏洩防止部がノズルを密封することを可能にする。これにより、ノズルに残存する液が空気と接触して固化することを防止できる、としている。
【先行技術文献】
【特許文献】
【０００３】
【特許文献１】特開平10-337509号公報
【発明の概要】
【発明が解決しようとする課題】
【０００４】
特許文献１に記載のオーバーキャップには以下の問題点がある。
(1)オーバーキャップは、有天筒状のキャップ本体の内部に同じく有天筒状の内キャップを嵌合させた二重構造になっている。キャップ本体と内キャップの２部品からなるものであり、組立工数も必要となり、コスト高になる。
【０００５】
(2)キャップ本体と内キャップの両者ともに有天筒状をなすものであり、それらの天面部が重複する等によって重くなる。
【０００６】
(3)ノズルに残存する液の乾燥固化防止性能を向上するためには、内キャップの漏洩防止部をノズルに強く係合させる必要がある。その場合には、オーバーキャップをポンプディスペンサーから外すときに、オーバーキャップのキャップ本体から内キャップが外れてポンプディスペンサーの側に残留してしまい、オーバーキャップの全体をポンプディスペンサーに対して着脱できなくなるおそれがある。
【０００７】
本発明の課題は、液体注出容器において、簡素な構造で、必要最小限の重さとされ、液体注出具の周囲への着脱性も良く、ノズルに残存する液の乾燥固化防止性能を簡易に向上することにある。
【課題を解決するための手段】
【０００８】
請求項１に係る発明は、容器本体の口部に取付けられる液体注出具がノズルヘッドを有し、このノズルヘッドのノズルから内容液を注出可能にするとともに、液体注出具の周囲に着脱自在に装着されてノズルヘッドを被覆可能にするオーバーキャップを有してなる液体注出容器であって、オーバーキャップが、一端開口の有天筒状をなす外側筒部と、外側筒部の天面部に結合されて該外側筒部の筒内に延在され、ノズルヘッドに当接することなく該ノズルヘッドを被覆可能にする筒状の内側筒部とを有して構成され、外側筒部は容器本体又は液体注出具に設けた外側装着部にしまりばめで装着され、内側筒部は液体注出具に設けた内側装着部にすきまばめで装着されるようにしたものである。
【発明の効果】
【０００９】
本発明によれば、液体注出容器において、簡素な構造で必要最小限の重さとされ、液体注出具の周囲への着脱性も良く、ノズルに残存する液の乾燥固化防止性能を簡易に向上することができる。
【図面の簡単な説明】
【００１０】
【図１】図１は液体注出容器を示す模式断面図である。
【図２】図２は液体注出容器を構成する液体注出具を拡大して示す模式断面図である。
【図３】図３は図２のIII部を拡大して示す模式断面図である。
【図４】図４は図２のIV部を拡大して示す模式断面図である。
【発明を実施するための形態】
【００１１】
図１に示した液体注出容器１００は、容器本体１０の内容液である例えば水を溶媒とするスタイリング剤等の化粧液を液状又は泡状のものとして注出させる容器であって、容器本体１０の口部１１に液体注出具２０を取付けて構成される。液体注出容器１００は、本実施形態における液体注出具として、ポンプディスペンサー２０Ａを採用している。
【００１２】
尚、本実施形態では、容器本体１０及び液体注出具２０はそれらの中心軸を共通軸Ｏ上に配置して構成される。以下、容器本体１０を正立させた状態で、この共通軸Ｏに沿う方向を上下方向とし、共通軸Ｏに沿って液体注出具２０の側を上側、容器本体１０の側を下側とする。
【００１３】
ポンプディスペンサー２０Ａは、図２に示す如く、キャップ３０の円筒状取付部３１を容器本体１０における口部１１の外周部に設けたねじ部１２に螺着して固定される。キャップ３０における取付部３１の上端に設けられる天面部３２の下面中心部にはポンプハウジング３３が垂下され、該天面部３２の上面外周寄りには取付部３１より小外径の円環状ガイド部３４が立設される。
【００１４】
ポンプディスペンサー２０Ａは、キャップ３０のポンプハウジング３３を上下に渡る貫通状として該ポンプハウジング３３の内部をポンプ室３３Ａとし、ポンプ室３３Ａの下端開口には容器本体１０の底部まで延在する吸引チューブ３５が取着される。ポンプ室３３Ａには、ピストン、逆止弁、バルブスプリング等からなるバルブ開閉機構（不図示）が内蔵される。ポンプ室３３Ａの上端開口には、バルブ開閉機構のバルブスプリングによって常時上向きに付勢される筒状のステム３６の下端部が引抜き不能に挿入されている。
【００１５】
ポンプディスペンサー２０Ａは、ノズル４１を備えるノズルヘッド４０がステム３６の上端部に嵌着され、ノズルヘッド４０の円筒状の下端側外周面をキャップ３０における円環状ガイド部３４の内周部に沿って上下動可能に遊挿されている。
【００１６】
使用者がノズルヘッド４０の上面のボタン操作部４２を押下げると、ノズルヘッド４０はステム３６とともにポンプ室３３Ａ内のバルブスプリングを圧縮して該ステム３６をポンプ室３３Ａに進入させる。このステム３６のポンプ室３３Ａへの進入によって、ポンプ室３３Ａの液は加圧されてステム３６経由でノズル４１から注出される。
【００１７】
使用者がボタン操作部４２の押下げを解除すると、ポンプ室３３Ａ内のバルブスプリングが伸長してノズルヘッド４０及びステム３６を容器本体１０から離れる側に移動し、該ステム３６をポンプ室３３Ａから退出させてノズル４１からの液の注出を停止させる。このステム３６のポンプ室３３Ａからの退出によってポンプ室３３Ａの容積は拡張され、ポンプ室３３Ａの内圧が負圧となることで、容器本体１０の内容液が吸引チューブ３５経由でポンプ室３３Ａに吸入される。
【００１８】
しかるに、液体注出容器１００にあっては、ポンプディスペンサー２０Ａのノズルヘッド４０を上述の如くに押下げてノズル４１から内容液を注出させた後、該ノズル４１に残存する液の乾燥固化を防止するため、以下の如くのオーバーキャップ５０を有する。
【００１９】
オーバーキャップ５０は、図２に示す如く、ポンプディスペンサー２０Ａの周囲に着脱自在に装着されてノズルヘッド４０を被覆可能にするものであり、外側筒部５１と内側筒部６１とを一体でプラスチック成形されて構成されている。
【００２０】
外側筒部５１は下端開口の有天円筒状をなし、長尺筒状部５２と、筒状部５２の上端に設けられる天面部５３とを備える。筒状部５２はその中心軸を含む縦断面視（図２）で、天面部５３から垂下する内周面５４の下端側部分を除く範囲を真直面５４Ａとし、内周面５４の上記真直面５４Ａの下端部に連なる部分を該真直面５４Ａよりも凹ませた凹状面５４Ｂとし、内周面５４の上記凹状面５４Ｂの下端部に連なる最下部を下方に向けてテーパ状に拡開するテーパ面５４Ｃとしている。筒状部５２は、図３に示す如く、内周面５４における凹状面５４Ｂとテーパ面５４Ｃの交差部を内方に向けて僅かに突出する円環状突部５５としている。
【００２１】
内側筒部６１は外側筒部５１の天面部５３に結合されて該外側筒部５１と同軸をなし、該外側筒部５１の筒内に延在される円筒状をなす。内側筒部６１はその中心軸を含む縦断面視（図２）で、天面部５３から垂下する内周面６２の下端側部分を除く範囲を真直面６２Ａとし、内周面６２の上記真直面６２Ａの下端部に連なる最下部を下方に向けてテーパ状に拡開するテーパ面６２Ｂとしている。
【００２２】
オーバーキャップ５０がポンプディスペンサー２０Ａの周囲に装着されるとき、外側筒部５１は容器本体１０に設けた外側装着部１３にしまりばめで装着されるとともに、内側筒部６１はポンプディスペンサー２０Ａにおけるキャップ３０の円環状ガイド部３４に設けた内側装着部３７にすきまばめで装着される。
【００２３】
ここで、容器本体１０は、ねじ部１２の下端側の外周を外方に向けて膨出させた円環状膨出部１３Ａとし、この円環状膨出部１３Ａを外側筒部５１のための外側装着部１３とする。この円環状膨出部１３Ａの直径は、オーバーキャップ５０の外側筒部５１における筒状部５２の内周面５４に設けた円環状突部５５の直径より僅かに大きい。
【００２４】
また、容器本体１０は、円環状膨出部１３Ａの直下に円環状肩部１３Ｂを形成し、この円環状肩部１３Ｂを円環状膨出部１３Ａよりも大径の容器外径Ｄ（図２）まで張り出して備える。
【００２５】
ポンプディスペンサー２０Ａの周囲にオーバーキャップ５０を装着するに際し、外側筒部５１における筒状部５２を把持した使用者の手指が、筒状部５２の内周面５４のテーパ面５４Ｃを容器本体１０の外側装着部１３となる円環状膨出部１３Ａまわりに嵌め込み、筒状部５２の内周面５４の円環状突部５５を円環状膨出部１３Ａに当て容器本体１０の下方に向けて押し込むと、円環状突部５５周辺の筒状部５２が弾性的に拡径変形して該円環状突部５５が円環状膨出部１３Ａを肩部１３Ｂ寄りに向けて乗り越える。これにより、オーバーキャップ５０の外側筒部５１は、筒状部５２の内周面５４の凹状面５４Ｂが円環状膨出部１３Ａまわりに到達し、同時に、筒状部５２の下端面５２Ａが容器本体１０の肩部１３Ｂに衝合するに至る。この状態で、オーバーキャップ５０の外側筒部５１は、筒状部５２の内周面５４の凹状面５４Ｂが外側装着部１３となる円環状膨出部１３Ａにしまりばめで装着される。そしてこのとき、外側筒部５１は、図３に示す如く、筒状部５２の円環状突部５５が円環状膨出部１３Ａを乗り越えて該膨出部１３Ａに続く肩部１３Ｂ寄りの下り勾配面１３Ｃに当接し、かつ筒状部５２の下端面５２Ａが該肩部１３Ｂに衝合していて、外側装着部１３に対する自由な軸方向移動が抑制され、外側装着部１３に対する上述の安定したしまりばめ装着状態が形成される。
【００２６】
尚、本実施形態のオーバーキャップ５０にあっては、外側筒部５１の筒状部５２における内周面５４の凹状面５４Ｂが外側装着部１３となる円環状膨出部１３Ａにしまりばめで装着されるが、筒状部５２が弾性的に拡径変形できるため、外側装着部１３に繰り返し着脱できる。
【００２７】
外側筒部の５１のしまりばめについては、円環状膨出部１３Ａの直径が円環状突部５５の直径より０．１mmを超え０．６mm以下とすることが好ましい。円環状膨出部１３Ａの直径が円環状突部５５の直径より０．１mmを超え０．６mm以下になる範囲では、充分なしまりばめの強度を得て、オーバーキャップ５０が不意な動作によって外れるのを回避でき、オーバーキャップ５０を外すのに多大な力を必要とせずに取外し容易となる効果があり、好ましい。
【００２８】
オーバーキャップ５０の外側筒部５１が容器本体１０の外側装着部１３に上述の如くに装着されるとき、内側筒部６１は内周面６２のテーパ面６２Ｂがキャップ３０の内側装着部３７となる円環状ガイド部３４の外周部まわりに嵌め込まれ、内周面６２の真直面６２Ａが円環状ガイド部３４の外周部まわりに到達して該ガイド部３４にすきまばめで装着される。
【００２９】
オーバーキャップ５０の内側筒部６１は、内側装着部３７となる円環状ガイド部３４の外周部に装着された内周面６２が該ガイド部３４との間に形成する隙間Ｇ（図４）を、０mmを超え、０．２mm以下とすることが好ましい。隙間Ｇが０mmを超え、０．２mm以下になる範囲では、内側筒部６１がノズル４１を囲む空間の密閉性を充分に確保できる効果があり、好ましい。
【００３０】
尚、外側装着部１３が設けられる容器本体１０はＰＰ（ポリプロピレン）、ＰＥ（ポリエチレン）又はＰＥＴ（ポリエチレンテレフタレート）により形成され、内側装着部３７が設けられるキャップ３０はＰＰ、ＰＥにより形成され、オーバーキャップ５０はＰＰにより形成されるのが好ましい。但し、容器本体１０、キャップ３０、オーバーキャップ５０は金属からなるものでも良い。
【００３１】
また、本発明において、外側筒部５１がしまりばめで装着される外側装着部は、容器本体１０に設けられるものに限らず、液体注出具２０（例えばポンプディスペンサー２０Ａにおけるキャップ３０の取付部３１）に設けられても良い。
【００３２】
本実施例によれば以下の作用効果を奏する。
(a)オーバーキャップ５０が外側筒部５１と内側筒部６１とを有して構成され、内側筒部６１は液体注出具２０に設けた内側装着部にすきまばめで装着される。従って、内側筒部６１はノズル４１を囲む小空間Ｒを概ね密封状態で区画する。これにより、ノズル４１から注出された内容液がノズル４１に残存している液体注出具２０の周囲にオーバーキャップ５０を装着したとき、ノズル４１に残る液は上記小空間Ｒの小容量の空気に接するのみとなり、液中の水、アルコール等の溶媒の空気中への蒸発程度は少なくなり、液の乾燥固化防止性能を簡易に向上できる。
【００３３】
(b)オーバーキャップ５０は、内側筒部６１よりも大口径の外側筒部５１を容器本体１０又は液体注出具２０に設けた外側装着部１３にしまりばめで装着されるから、外側筒部５１を外側装着部１３に対して大きな摩擦力を介して安定的に装着できる。これにより、オーバーキャップ５０を液体注出具２０の周囲に安定的に装着し、かつその内側筒部６１がノズル４１の周辺に区画する上述(a)の小空間Ｒを安定的に形成し、上述(a)の液の乾燥固化防止性能を安定的に維持できる。
【００３４】
尚、外側筒部５１がしまりばめで装着されることから、オーバーキャップ５０（外側筒部５１及び内側筒部６１）の内部への異物の侵入を確実に防止できる。
【００３５】
(c)オーバーキャップ５０は、有天筒状をなす外側筒部５１の天面部５３に、筒状の内側筒部６１を結合して構成される。オーバーキャップ５０は外側筒部５１と内側筒部６１を結合した単一部品となり、構造簡素にして低コスト化できる。
【００３６】
(d)オーバーキャップ５０は、上述(c)により、外側筒部５１の天面部５３に結合される内側筒部６１を天面部のない単なる筒状とするものであり、重さを必要最小限にできる。
【００３７】
(e)オーバーキャップ５０は、上述(c)により、外側筒部５１に内側筒部６１を結合して分離不能にされるとともに、外側筒部５１のみを容器本体１０又は液体注出具２０に設けた外側装着部１３にしまりばめで装着し、内側筒部６１を液体注出具２０に設けた内側装着部にすきまばめで装着した。従って、オーバーキャップ５０の外側筒部５１と内側筒部６１を常に一体で液体注出具２０の周囲に着脱できるし、内側装着部への内側筒部６１の装着性を嵌め易くし、その着脱性は良い。
【００３８】
(f)前記内側筒部６１が、前記内側装着部に装着された内周面６２の周方向各部が該内側装着部との間に形成する隙間を０mmを超え、０．２mm以下とすることにより、内側筒部６１が液体注出具２０に設けた内側装着部に対するすきまばめの程度を最適化できる。
【００３９】
(g)ポンプディスペンサー２０Ａは、一般的には、内容液の注出とその停止を行なうバルブを作動させるピストン、ばね等のバルブ開閉機構を内蔵していて、バルブ開閉機構とノズル４１との間に一定以上のスペースがあり、このスペースに残存する液の量が多くなり、当該液の乾燥固化を生じ易い。ところが、本発明に基づくポンプディスペンサー２０Ａでは、上述(a)乃至(f)の作用を経て、当該液の乾燥固化を効果的に防止でき、実用上の利用可能性は高い。
【００４０】
また、本発明の液体注出容器を構成する液体注出具は、ポンプディスペンサー２０Ａに限らず、エアゾール容器等からなるものでも良い。
【産業上の利用可能性】
【００４１】
本発明によれば、液体注出容器において、簡素な構造で、必要最小限の重さとされ、液体注出具の周囲への着脱性も良く、ノズルに残存する液の乾燥固化防止性能を簡易に向上することができる。
【符号の説明】
【００４２】
１０  容器本体
１１  口部
１３  外側装着部
１３Ａ  円環状膨出部（外側装着部）
２０  液体注出具
２０Ａ  ポンプディスペンサー
３０  キャップ
３４  円環状ガイド部（内側装着部）
３７  内側装着部
４０  ノズルヘッド
４１  ノズル
５０  オーバーキャップ
５１  外側筒部
５３  天面部
６１  内側筒部
１００  液体注出容器
【図１】
0006671240.tif 000002
【図２】
0006671240.tif 000003
【図３】
0006671240.tif 000004
【図４】
0006671240.tif 000005